(57)【要約】【課題】ＤＣモータを用いて複数の運転モードを行なわせるディスポーザにおいて、蓋スイッチだけで運転モードを選択できるようにし、装置を簡略化させる。【構成】ディスポーザの回転板４を駆動するモータに速度制御が可能なＤＣモータ７を用いて複数の運転モードを可能にする。取付管１の上端内壁に蓋１０を装着する方向の切り欠ぎ溝１２を複数個設け、取付管上面の切り欠ぎ溝１２の位置にそれぞれの運転モードを表示するとともに、それぞれの運転モードに対応する磁気センサー１３を設ける。取付管１の投入口１２に装着する蓋１０に、その外周面に突出させた１つの突起１６と、磁気センサー１３を動作させる磁性体１７を埋め込んでいる。蓋１０の突起１６を選択した切り欠ぎ溝１２に挿入することにより、磁性体１７と対向する磁気センサー１３により選択した切り欠ぎ溝１２に表示された多種類の運転モードを選んで実行させる。【選択図】        図２
2007296508.tif 000002
【特許請求の範囲】
【請求項１】
ディスポーザをシンクに取り付ける取付管と、取付管の投入口に装着する蓋と、前記投入口に続く破砕室に設けた回転板と、前記回転板を複数の運転モードで駆動する速度制御が可能なＤＣモータをそなえ、取付管上部の蓋を装着する位置に、装着方向の切り欠ぎ溝を複数個設け、取付管上面の切り欠ぎ溝位置にそれぞれの運転モードを表示するとともに、蓋の外周面に前記切り欠ぎ溝に挿入する突起を形成し、取付管の投入口を囲んで設けた複数の磁気センサーと蓋に埋め込んだ磁性体とを設け、前記蓋の突起を選択した切り欠ぎ溝に挿入したときに、磁性体と対向する磁気センサーからの信号を前記ＤＣモータの制御盤に送出し、その信号により前記選択した切り欠ぎ溝に表示された運転モードでＤＣモータを制御させることを特徴とするディスポーザの蓋スイッチ機構。
【請求項２】
前記切り欠ぎ溝と磁気センサーが、それぞれ同じ等角度間隔で周方向に複数個設けられている請求項１に記載したディスポーザの蓋スイッチ機構。
【請求項３】
ディスポーザをシンクに取り付ける取付管と、取付管の投入口に装着する蓋と、前記投入口に続く破砕室に設けた回転板と、前記回転板を複数の運転モードで駆動する速度制御が可能なＤＣモータをそなえ、取付管上部の蓋を装着する位置に、装着方向の切り欠ぎ溝を運転モードの数に応じて設け、取付管上面の切り欠ぎ溝位置にそれぞれの運転モードを表示するとともに、蓋の外周面に前記切り欠ぎ溝に挿入する突起を形成し、取付管の投入口を囲んで前記運転モードの数より少ない複数の磁気センサーおよび磁性体が、それぞれ同じ等角度間隔で周方向に設けられ、蓋の突起を選択した切り欠ぎ溝に挿入したときに、１つまたは複数の磁性体が磁気センサーと対向し、磁性体に対向している磁気センサーからの信号を制御盤に送出し、その信号の組み合わせによって、前記選択した切り欠ぎ溝に表示された運転モードで前記ＤＣモータを制御させることを特徴とするディスポーザの蓋スイッチ機構。
【請求項４】
前記切り欠ぎ溝が、それぞれ異なる形状に形成され、運転モードに応じて前記切り欠ぎ溝の１つに挿入する突起をそなえた複数の蓋を設けている請求項１または２または３に記載したディスポーザの蓋スイッチ機構。
【請求項５】
前記投入口の切り欠ぎ溝に、それぞれ周方向の横溝を設け、切り欠ぎ溝に挿入した突起を周方向に回して前記横溝に嵌め込ませるようにした請求項１ないし４のいずれかに記載したディスポーザの蓋スイッチ機構。
【請求項６】
ディスポーザをシンクに取り付ける取付管と、取付管の投入口に装着する蓋と、前記投入口に続く破砕室に設けた回転板と、前記回転板を複数の運転モードで駆動する速度制御が可能なＤＣモータをそなえ、前記取付管上部の蓋を装着する部分を正多角形に形成し、取付管上面の正多角形の頂点位置にそれぞれの運転モードを表示するとともに、蓋を前記投入口に挿入する正多角形に形成してその１つの頂点に指標を付し、取付管に正多角形の各頂点に対応して設けた複数の磁気センサーと、蓋に埋め込んだ磁性体とをそなえ、蓋の指標を取付管の選択した運転モードの頂点に合わせて挿入したときに、磁性体と対向する磁気センサーからの信号を前記ＤＣモータの制御盤に送出し、その信号により前記選択した頂点に表示された運転モードでＤＣモータを制御させることを特徴とするディスポーザの蓋スイッチ機構。
【発明の詳細な説明】
【技術分野】
【０００１】
本発明は、シンクの排水口に取り付けて厨芥を粉砕処理するディスポーザにおける蓋スイッチ機構の改良に係り、ＤＣモータを用いた複数モードの運転を、投入口に設置する蓋によって選択できる蓋スイッチ機構に関する。
【背景技術】
【０００２】
シンクの排水口に取り付けて生ゴミなどの厨芥を粉砕処理するディスポーザのオン・オフを制御するために、キッチンの壁などディスポーザとは別の位置に設けたスイッチで操作を行なう場合は、ディスポーザの駆動用電源とは別個に壁スイッチまでの配線を必要とするだけでなく、設置場所によっては運転状態の確認がし難いなどの問題があった。
このため、ディスポーザをシンクに取り付ける取付管の投入口の外側にリードスイッチのように電磁的に動作するセンサーを取り付け、投入口の上部に着脱する蓋に前記センサーの位置に合わせてマグネットなどの磁性体を埋め込み、蓋の挿入によって磁性体を磁気センサーに対向させ、その信号により駆動用のモータを起動させ、蓋を取り外すとモータを停止させる蓋スイッチが用いられている。（例えば特許文献１参照）
【０００３】
このような蓋スイッチは、ディスポーザのモータを単に起動・停止させるだけのものであって、運転状態では振動などで蓋が外れないように、蓋を挿入した後に周方向に回動させて運転動作位置に合わせるようにしたもの(特許文献２)や、磁気センサーであるリードスイッチが蓋体以外の磁石で誤動作しないように別の機械的に動作するスイッチと組み合わせるもの(特許文献３)、粉砕された厨芥が飛び出さないようにスプラッシュガードの装着を検出するスイッチとの双方で駆動させるもの(特許文献４)、また、蓋を装着するときは蓋を投入口の所定の位置に合わせて嵌め込むが、位置合わせを簡略にするため蓋体に多数の磁石を配置するもの(特許文献５)などが提案されている。
【０００４】
【特許文献１】特開平１１−１００２０号
【特許文献２】特開２００３−８００９８号
【特許文献３】特開２００４−８９４２号
【特許文献４】特開２００１−２９８３６号
【特許文献５】特開平１０−９９７０７号
【発明の開示】
【発明が解決しようとする課題】
【０００５】
このように、ディスポーザの運転スイッチをディスポーに装着する蓋を利用して行うようにしているが、いずれもモータをオン・オフさせるだけの操作であり、単に厨芥を粉砕し、停止させる従来の粉砕処理では問題になるような課題はなかったが、ＤＣモータを用いて複数の運転モードで厨芥の処理を行なうようにした場合には対応できず、別に制御盤を設けて運転モードを選択する必要があり、あらかじめ制御盤でモードを選択し、その後に蓋を装着してスイッチをオンさせねばならなかった。
本発明は、蓋スイッチだけの操作で複数の運転モードを選択できるようにし、装置を簡略化することを目的とする。
【課題を解決するための手段】
【０００６】
このため請求項１の発明は、投入口に装着する蓋をそなえたディスポーザの、前記投入口に続く破砕室に設けた回転板を駆動するモータとしてＤＣモータを用いることによって速度制御を可能にし、従来一定速度でオン・オフ制御をしていたディスポーザを複数の運転モードで制御できるようにし、その運転モードを選択するために、ディスポーザをシンクに取り付ける取付管の上端に蓋を装着する方向の切り欠ぎ溝を複数個設け、取付管上面の切り欠ぎ溝位置にそれぞれの運転モードを表示するとともに、投入口を囲んでそれぞれの切り欠ぎ溝に対応させた磁気センサーをそなえ、蓋の外周面に前記切り欠ぎ溝を選択して挿入する突起を形成しており、選択した運転モードの切り欠ぎ溝に前記蓋の突起を挿入したときに、蓋に埋め込んだ磁性体が前記選択された切り欠ぎ溝に対応する磁気センサーと対向し、この磁気センサーからの信号をＤＣモータの制御盤に送出し、その信号により選択した切り欠ぎ溝に表示された運転モードで前記ＤＣモータや他の装置を制御するようにしている。
前記切り欠ぎ溝と磁気センサーは、それぞれ運転モード数に応じて複数個を周方向に等角度間隔の位置に設けることができる。
【０００７】
また、請求項３の発明は、運転モードの数に応じた数の切り欠ぎ溝と、運転モードの数より少ない複数の磁気センサーおよび磁性体が、それぞれ同じ等角度間隔で周方向に複数個設けられ、選択した切り欠ぎ溝に蓋の突起を挿入したときに、１つまたは複数の磁性体が磁気センサーに対向し、磁性体が対向している磁気センサーからの信号を前記ＤＣモータの制御盤に送出し、複数の信号が送出されたときは制御盤で組み合わせることによって選択した運転モードの制御を行なわせ、磁気センサーの数より多い運転モードを選択できるようにしている。
【０００８】
請求項４の発明は、前記切り欠ぎ溝を、それぞれ異なる形状に形成させ、運転モードに応じて前記切り欠ぎ溝の１つに嵌合するようにそれぞれ異なる形状の突起を設けた複数の蓋をそなえて、選択する切り欠ぎ溝を誤らないようにしている。
【０００９】
なお、請求項５では、取付管上部に設けた切り欠ぎ溝に、それぞれ周方向の横溝を設けており、切り欠ぎ溝に挿入した突起を周方向に回して前記横溝に嵌め込ませることによって、運転中の振動で突起が切り欠ぎ溝から抜け出ないようにすることができる。
この場合、突起を横溝に嵌め込ませた位置で磁気センサーと磁性体を対向させる。
【００１０】
また請求項６の発明は、ディスポーザをシンクに取り付ける取付管の投入口上部の蓋を挿入する部分を正多角形に形成し、取付管上面の正多角形の頂点位置にそれぞれの運転モードを表示するとともに、蓋を前記正多角形の投入口に挿入する正多角形に形成してその１つの頂点に指標を付し、この取付管に、正多角形の頂点に対応させた複数の磁気センサーと、蓋に埋め込んだ磁性体とを設け、蓋の指標を付した頂点を、選択した運転モードを表示した取付管上面の頂点に合わせて蓋を投入口に装着することにより、磁性体と対向する磁気センサーが選択された表示に応じた信号を前記ＤＣモータの制御盤に送出するようにしている。
【発明の効果】
【００１１】
このように本発明は、ディスポーザの回転板を駆動するモータとしてＤＣモータを用いることによって複数の運転モードで制御を行なわせるようにし、その運転モードを選択するために、取付管の投入口に蓋の挿入方向の切り欠ぎ溝を複数個そなえ、蓋に設けた突起を選択した切り欠ぎ溝に挿入させることにより、それぞれの運転モードの制御に必要な信号を送出する磁気センサーを動作させるようにしているので、蓋の着脱によって多くの運転モードを選択でき、使い勝手が良く、装置を簡単にできるとともに、蓋を外した状態ではモータが停止状態になって起動することがなく、安全であるなどの効果が得られる。
また、本発明では選択できる運転モードを多種類設けることが可能になるので、従来は手動で操作したり、別個に設置した制御盤で操作する必要があった過負荷検出装置のリセット操作などもすべて蓋の位置で行なうことができ、制御盤をモータとともに、ディスポーザのケーシング内に収納することができる。
【００１２】
なお、磁気センサーとともに磁性体を複数個設け、磁気センサーと磁性体を、蓋の挿入によって選択された運転モードに応じて１つまたは複数個の磁性体が磁気センサーに対向するように配置し、複数の磁気センサーからの信号を組み合わせることにより、磁気センサーの数を少なくして多数の運転モードを設けることができ、磁気センサーの数を減らしてコストを低減させることができる。
また、切り欠ぎ溝の形状を運転モードごとに変えることにより、蓋の選択を簡単にしてモードの選択を間違える誤りを無くすことができる。
また、投入口上部と蓋を正多角形に形成することで、取付管上面に切り欠ぎ溝による隙間がなくなり、小さな厨芥が詰まることがなく衛生的で清掃も容易な利点が得られる。
【実施例】
【００１３】
これを図に示す実施例について説明する。
図１は本発明を実施するディスポーザの側断面図、図２は取付管の上面図、図３は蓋の例を示しており（ａ）は上面図、（ｂ）は側断面図、図４は蓋を装着する状態を示す説明図である。
１はディスポーザをシンクに取り付ける取付管、２は投入口、３は破砕室、４は破砕室の底部に設けた回転板、５は回転板下方に形成した排出室、６は排出管、７は回転板４を回転させるＤＣモータ、８は制御盤、９はスプラッシュガード、１０は取付管１の上部に嵌め込む蓋である。１１は取付管１の上面、１２ａ、１２ｂ、１２ｃ、１２ｄは投入口を囲んで取付管１の上部の蓋１０を装着する位置に、必要数（図では４個）設けた切り欠ぎ溝で、等角度位置で取付管の上面１１に開口させている。１３ａ、１３ｂ、１３ｃ、１３ｄは前記切り欠ぎ溝の位置に対応して取付管に設けた磁気センサー、１４ａ、１４ｂ、１４ｃ、１４ｄはモード表示、１５は取り付けナットを螺合させるネジ部、１６は蓋１０の外周に突出させ前記切り欠ぎ溝１２に挿入する突起、１７は突起の位置に対応して蓋１０に埋め込まれ前記磁気センサー１３を動作させる磁性体（マグネット）、１８は蓋１０の通水孔、１９は摘まみである。
【００１４】
厨芥処理のバッチ運転を行なうときは、取付管１でシンクに取り付けられたディスポーザに、投入口２から厨芥を投入して蓋１０を装着する。このとき蓋１０の突起１６を、取付管１の上面１１に表示された「運転」のモード表示１４ａの位置に合わせて、その位置の切り欠ぎ溝１２ａに挿入する。蓋１０の装着により磁性体１７が「運転」位置の磁気センサー１３ａを動作させ、「運転」指令信号を制御盤８に送ってＤＣモータ７を起動させ、所定の制御特性で運転させる。
【００１５】
夜間などディスポーザの処理音を小さくする場合は、蓋１０の突起１６を取付管１の上面１１に表示された「静音」のモード表示１４ｂの位置に合わせて、その位置の切り欠ぎ溝１２ｂに挿入すると、「静音」位置の磁気センサー１３ｂが動作し、「静音運転」指令を制御盤８に送ってＤＣモータ７を起動させ、低速運転による制御特性で運転を行なう。
【００１６】
また、ディスポーザ内部の洗浄を行なうときは、蓋１０の突起１６を取付管上面１１に表示された「洗浄」のモード表示１４ｃの位置に合わせて切り欠ぎ溝１２ｃに挿入すると、「洗浄」位置の磁気センサー１３ｃが動作し、「洗浄運転」の指令を制御盤８に送り、所定のスケジュールによって洗浄操作を行なう。
【００１７】
また、運転中にスプーンなどの金属製異物の混入や硬い骨などが回転板４の周囲に噛み込まれるなどにより、ＤＣモータ７が過負荷になり、制御盤８の過負荷検出装置が動作した場合、噛み込んだ異物や骨を取り除いて再起動する前に過負荷検出装置をリセットする必要があり、従来は手動などにより過負荷検出装置の復帰操作を行なっていたが、本発明は、多数の運転モードを設定できるので、取付管１に「リセット」の切り欠ぎ溝１２ｄとこれに対応した磁気センサー１３ｄを設け、蓋１０の突起１６を「リセット」のモード表示１４ｄに合わせて蓋を装着することによって磁気センサー１３ｄを動作させ、制御盤に信号を送ってリセット動作を行なわせる。
【００１８】
図の実施例では、取付管１に設けた４個のモードを９０度の位置に配置しているが、モードの数はこれに限られるものではなく、また、各モードの配置角度も投入口２および蓋１０が円形であれば適宜の等角度間隔で配置することができ、磁気センサーの設置位置も必ずしも切り欠ぎ溝の位置に限られず、切り欠ぎ溝の位置から周方向にずらせた位置に配置してもよい。
【００１９】
上述のように、本発明は、ＤＣモータ７を使用することによって、単にモータのオン・オフだけでなく多種の運転モードで制御でき、これら複数の制御をすべて取付管１に装着する蓋１０によって選択することができる。なお、蓋１０の突起１６を装着方向に挿入するだけでは振動によって運転中に蓋が抜け出る恐れがある場合は、図５に示すようにそれぞれの切り欠ぎ溝１２（図では１２ａを示している）に周方向の横溝２０を設け、蓋１０を装着して僅かに回動させ、突起１６を横溝２０に嵌め込むようにすれば良い。
また、厨芥処理の連続運転を行なうときは、図６のように蓋１０を環状に形成し、１箇所に突起１６を設けておけば、多種のモードを選択でき、蓋１０を装着したままで通水孔１８から厨芥と水を投入することができる。
【００２０】
図７は、磁気センサーの数を運転モードの数より少なくした実施例を示すもので、図の実施例では８等分した位置に６個の運転モードＡ〜Ｆを順次に設け、半数の３個の磁気センサーを用い磁性体を４個にすることによって、それぞれのモードを実行させている。
取付管１に６個の切り欠ぎ溝１２ａ〜１２ｆが等角度間隔で周方向に設けられ、３個の磁気センサー１３ａ、１３ｂ、１３ｃをそれぞれ切り欠ぎ溝と同じ等角度間隔で周方向に設けている。蓋１０に突起１６と、この突起１６を１つの切り欠ぎ溝１２ａに挿入したときに前記磁気センサー１３ａ、１３ｂ、１３ｃにそれぞれ対向する位置に磁性体１７ａ、１７ｂ、１７ｃを設けるとともに、中央の磁性体１７ｂと対称の位置に磁性体１７ｄを設けている。
このため、蓋１０の突起１６を切り欠ぎ溝１２ａに挿入させる（図７の状態）と、磁性体１７ａ、１７ｂ、１７ｃが磁気センサー１３ａ、１３ｂ、１３ｃにそれぞれ対向して３個の信号を送出し、制御盤８で組み合わせて処理されモードＡの制御を実行する。
【００２１】
突起１６を切り欠ぎ溝１２ｂに挿入させると、磁性体１７ａ、１７ｂが磁気センサー１３ｂ、１３ｃに対向して磁気センサー１３ｂ、１３ｃからの２つの信号が制御盤８に送出され、その組み合わせでモードＢの制御を実行する。
突起１６を切り欠ぎ溝１２ｃに挿入させると、磁性体１７ａだけが磁気センサー１３ｃと対向し、磁気センサー１３ｃからの信号が制御盤８に送出され、モードＣの制御を実行する。
【００２２】
次に、蓋１０の突起１６を切り欠ぎ溝１２ｄに挿入させると、磁性体１７ｄが磁気センサー１３ａに対向し、磁気センサー１３ａの信号だけが送出され、制御盤８でこの信号によるモードＤの制御を実行する。
また、蓋１０の突起１６を切り欠ぎ溝１２ｅに挿入すると、磁性体１７ｄが磁気センサー１３ｂに対向し、磁気センサー１３ｂからの信号だけが送出され、制御盤８でモードＥの制御を実行する。
蓋１０の突起１６が切り欠ぎ溝１２ｆに挿入されると、磁性体１７ｄが磁気センサー１３ｃと対向する。このため磁気センサー１３ｃから信号だけが送出され、制御盤８でモードＦの制御が実行される。
上記実施例の各モードにおける磁気センサーと磁性体との組み合わせをまとめると、表１に示すようになる。
【表１】
2007296508.tif 000003
なお、磁気センサーおよび磁性体の配置は、図７に示した位置関係に限られるものではなく、また、磁気センサーおよび磁性体の数を増せばモード数をさらに多くすることができる。
【００２３】
図８は、蓋１０を選択された運転モードの切り欠ぎ溝１２に装着する場合の誤操作を簡単な方法で防ぐようにした実施例で、取付管上部に設ける切り欠ぎ溝１２の形状を運転モードごとに異ならせており、図示していないが各モードごとに突起１２の形状を異ならせた蓋１０をそなえ、運転モードによって蓋１０を選択して装着する。これにより運転モードに応じた蓋１０を選択すれば、異なるモードの切り欠ぎ溝に装着することがなく、間違ったモードで起動させる誤りを無くすことができる。
なお、図７および図８の実施例においても、切り欠ぎ溝に図５のように横溝を設けることができる。
【００２４】
図９は、投入口２の上部および蓋１０の形状を正多角形（図では６角形）に形成したもので、取付管１の上面に多角形の頂点に合わせてモード表示１４を設けてそれぞれの磁気センサー１３をそなえ、蓋１０の１つの頂点に指標２１とともに磁性体１７を埋め込んでおり、蓋１０の指標２１を付けた頂点を選択する運転モードに合わせて装着させることにより、選択した運転モードの制御ができ、頂点の数に合わせた多種類のモードを設けることができる。
【図面の簡単な説明】
【００２５】
【図１】本発明を実施するディスポーザの側断面図である。
【図２】本発明の実施例における取付管の上面図である。
【図３】蓋の実施例を示しており（ａ）は上面図、（ｂ）は側断面図である。
【図４】蓋を装着する状態を示す説明図である。
【図５】他の取付管におけるＸ−Ｘ線（図２）部分を示す展開図である。
【図６】蓋の別の実施例を示す上面図である。
【図７】本発明の他の実施例における取付管と蓋の上面図である。
【図８】別の実施例を示す取付管の上面図である。
【図９】さらに異なる実施例を示す蓋を装着した取付管の上面図である。
【符号の説明】
【００２６】
１  取付管
２  投入口
３  破砕室
４  回転板
５  排出室
６  排出管
７  ＤＣモータ
８  制御盤
９  スプラッシュガード
１０  蓋
１１  取付管の上面
１２ａ、１２ｂ、１２ｃ、１２ｄ、１２e、１２ｆ  切り欠ぎ溝
１３ａ、１３ｂ、１３ｃ、１３ｄ  磁気センサー
１４ａ、１４ｂ、１４ｃ、１４ｄ  モード表示
１５  ネジ部
１６  突起
１７、１７ａ、１７ｂ、１７ｃ、１７ｄ  磁性体
１８  通水孔
１９  摘まみ
２０  横溝
２１  指標
【図１】
2007296508.tif 000004
【図２】
2007296508.tif 000005
【図３】
2007296508.tif 000006
【図４】
2007296508.tif 000007
【図５】
2007296508.tif 000008
【図６】
2007296508.tif 000009
【図７】
2007296508.tif 000010
【図８】
2007296508.tif 000011
【図９】
2007296508.tif 000012